(57)【要約】本発明は、現存の芝生に新しい草の種、肥料又は他の産物をまく装置に関する。装置は、カムで嵌合された水平面の駆動主軸１５を備える本体ケース１から成り、カムの回りに、軸受搭載されたピン付き円盤１２の組合せを嵌合している。装置は、種まき受け皿３と駆動される投与ロール５から成る種投与装置を備えており、投与は変更できる。投与された種４は、案内板１０にその幅一杯で落下し、漏斗板１１で幾つかの列に分配され、ピン付き円盤１２に導入される。ピン付き円盤は、種を寄せ集め、現存の芝生に植え付ける。硬い土壌での成果を上げる為に、中央の駆動主軸１５を駆動し、ピン付き円盤１２に垂直面の振動作用を付加する。この振動動作が、種を土壌に押し込み、穴の側に押し付け、硬い土壌へのピンの侵入を改善する。【特許請求の範囲】
【請求項１】
現存の芝生に新しい種、肥料又は他の産物をまく装置が、
本体ケースと、
該本体ケースに固定して所定の方向に該装置を地面で転がして動かす移動装置と、
該本体ケース内で水平の駆動主軸の回りに軸受搭載されたピン付き円盤と、
正確に及び調整可能な量でまく種を投与する種投与装置と、
底部で現存の芝生を移動方向に押し付け、上部で投与された該種を列に分配し、該ピン付き円盤に送る、案内板とを備え、
該ピン付き円盤が、該案内板から投与された該種を寄せ集め、回転中に、該種を該芝生下の土壌に植え付けることを特徴とする装置。
【請求項２】
前記ピン付き円盤が、垂直の面内で振動可能である、ことを特徴とする請求項１記載の装置。
【請求項３】
前記ピン付き円盤が、前記水平の駆動主軸に固定され、更にカムの回りで軸受搭載されている、ことを特徴とする請求項１記載の装置。
【請求項４】
前記装置が、前記水平の駆動主軸に、定めた順序で取付けた様々なピン付き円盤の組合せを備えている、ことを特徴とする請求項３記載の装置。
【請求項５】
前記ピン付き円盤が交換可能である、ことを特徴とする請求項１〜４の何れか１項に記載の装置。
【請求項６】
前記装置が、操作の全幅で種を投与する開口部を有する投与主軸を備えている、ことを特徴とする請求項１記載の装置。
【請求項７】
前記投与主軸の回転速度が変更可能である、ことを特徴とする請求項６記載の装置。
【請求項８】
前記投与主軸の回転速度が種の投与量を確定する、ことを特徴とする請求項７記載の装置。
【請求項９】
前記案内板が、前記芝生の茎を、前方下方向に押し付ける、ことを特徴とする請求項１記載の装置。
【請求項１０】
前記案内板が、投与された前記種を、頂部で列に分配する、ことを特徴とする請求項１又は８記載の装置。
【請求項１１】
前記案内板の角度が、地面に対し調整可能である、ことを特徴とする請求項８又は９記載の装置。
【発明の詳細な説明】
【技術分野】
【０００１】
本発明は、現存の芝生に新しい種、肥料又は他の産物をまく装置に関する。装置は、本体ケースと、本体ケースに取付けて所定方向に装置を地面上で動かす移動装置と、本体ケース内で水平の駆動主軸の回りに嵌合させた軸受搭載のピン付き円盤と、正確に及び調整可能な量でまく種を投与する種投与装置と、底部で、現存の芝生を移動方向に押し付け、上部で投与された種を列に分配し、ピン付き円盤に送る案内板とを備え、ピン付き円盤が、案内板から投与された種を寄せ集め、回転中に、種を芝生下の土壌に植え付ける。
【背景技術】
【０００２】
従来技術は、芝生を損傷してきた。現存の芝生が老化し、新しい草（種）、肥料又は他の産物で、古い芝生に埋め合わせが必要となる。
【０００３】
新しい草の種の発芽を最大限にするために、草の種を現存の芝生下の土壌（肥料）と接触させる必要がある。
【０００４】
この工程を処理する装置は既に存在している。機械で芝地に穴を形成し、芝地の幅一杯に種をまき、ブラシで形成した穴に草の種を掃き入れる。しかし、穴に入って土壌と接触する割合は小さく、多数の種を損失し、所望の結果が得られない。土壌に溝を作る装置が入手できるが、溝の有無に関わらず草の種が充填される。この方法の不利な点は、現存の芝生を損傷し、最終的に、草は線模様で発生する。
【０００５】
既存の種まき装置の場合、全ての方向に突き出ている草の茎に対処する必要がある。これら草の茎は、往々にして、落下する草の種が実際に土壌と接触するのを妨げる。
【発明の開示】
【発明が解決しようとする課題】
【０００６】
本発明は、発芽の割合を改善し、現存の芝生への損傷を低減し、草の茎の妨害を低減する。
【課題を解決するための手段】
【０００７】
漏斗板で種を正確な位置に先ず案内し、回転するピン付き円盤で種を持ち上げ、その種を土壌に押し込み、その状態で種を土壌に植え付ける。現存の草の茎を移動方向の前方に押し付け、種まきの工程での干渉を最小限に低減する。種は土壌に正確な深さで植付けされ、更に土壌に対し実際に押し付けられる。この土壌との直接の接触が、種の発芽を向上させる。種を準備した穴又は溝にまいた場合、土壌との接触は小さい。種を土壌に押し付けるのが重要で、土壌からの水分を吸収し、発芽して、根付く。
【０００８】
ピン付き円盤の自重で土壌に押し付けるのは必ずしも容易ではなく、装置には多様なピン付き円盤の組合せを取付けている。これらのピン付き円盤は、カムに軸受搭載され、所定の順序で水平面の駆動主軸に取付けている。ピン付き円盤は、カムを有する駆動主軸の駆動で、垂直な面の偏心動作で土壌を転がる。この垂直な面での往復動作が、ピン付き円盤の侵入深さを顕著に改善し、草の種を地面に押し付け、種を土壌と接触させる。
【発明を実施するための最良の形態】
【０００９】
図１は、種まき装置の斜視図を示す。装置は、限定しない取付けクランプ２を有する本体ケース１を備えている。取付けクランプ２で、運転する輸送手段に、種まき装置を取付ける。異なる型の種まき装置が可能で、異なる運転輸送手段の主体に取付ける。
【００１０】
種まき受け皿３は、種４で満たされており、投与ロール５が、その全幅で種を均等に分配する。投与ロール５は、支持ローラ８で駆動される。駆動部７の伝達比の変更で、草の種の投与量が変更できる。幅全体で投与された種９は、案内板１０に沿って滑り落ち、漏斗板１１で列にして分配される。
【００１１】
複数のカム１４を駆動主軸１５に所定の順序で固定している。軸受部１３をカムの回りに取付けている。ピン付き円盤１２は、この軸受部１３に連結し、地面を自由に転がる。種まき装置が、所定の速度６で地面を前方に動く時、ピン付き円盤１２の周速度１８は、同様の速度になる。駆動主軸１５が駆動１７されると、ピン付き円盤１２も垂直面内で往復１６する偏心動作を行なう。この偏心動作が、ピン付き円盤を振動させて、土壌への良好な侵入となり、種を土壌に押し込む。
【００１２】
垂直面で振動し、水平の主軸１５で回転するピン付き円盤１２は、漏斗板１１で列に分配された種９を寄せ集める。ピン付き円盤の回転速度１８が、種９の落下速度よりも速い場合、種９は、ピン付き円盤１２の一つのピンで持ち上げられる。ピン付き円盤が回転し、ピン及び種が土壌に押し込まれる。ピン付き円盤が進み続けると、ピンが土壌から出て来て、種を土壌１９に残し、穴の一方の側に押し付ける。ブラシ２０で仕上げをする。支持ローラ２３は、後方で装置の地面への調整を行なう。この支持ローラで、用意した穴２１を閉じ、芝地２２の種の植付けを分かりにくくする。
【００１３】
図２は、側面図を示し、自律種まき装置を取付クランプ２で運転輸送手段に取付けている。支持ローラ８は、歯車伝達装置で投与ロール５を駆動する。大歯車２５，２５ａ，２５ｂ，２５ｃ，２５ｄ，２５ｅは交換が容易で、速度（１メートルにつき）の変更ができる。図３は、断面図を示す。支持ローラ８，２３は、地面に対し装置の調整を行なう。ピン付き円盤１２の挿入深さＤは、支持ローラ（８及び／又は２３）の調整で変更できる。
【００１４】
図４は、図３の円で囲んだＢの拡大図を示し、ピン付き円盤１２の振動動作を示す。駆動されたカム１４（図３）は、ピン付き円盤１２を、垂直面内での偏心した往復動作で、外側端部１２ａ，１２ｃ間で動かす。ピン１２ｄが進むと、偏心動作２６は、種に力２７，２８を加える。力２７は、種を土壌に接触させ、力２８は、種を土壌に押し付ける。角度Ｃは、９０度より大きくしている。最終的に、種は、深さＤで立ち止まることになる。深さＤは、土壌状態、支持ローラ８，２３、及び、種９の寸法と形状、とに依存する。前方に所定の速度６で運転している時は、ピン付き円盤１２の周方向の速度１８は同じ速度になる。結果として、軸受部搭載のピン付き円盤１２は、地面で駆動される。ピン付き円盤１２の周方向速度１８を、種の落下速度２９より大きくするのが重要である。種の落下速度２９の変更は、角度Ｅの変更で行なう。この設定は重要で、種の寸法、形状及び重さが異なり、これらが最終的に落下速度２９を決定する。
【００１５】
現存の草の茎３０は、最初に、支持ローラ８で前方に押し付けられる。その後、案内板１０が、芝生の茎を押し付け、保持する。この結果、種９がピン付き円盤１２で土壌に押し付けられる時に、直立した芝生の茎で妨害を受けない。
【００１６】
図５は、図３のＡ−Ａの線に沿う断面鳥瞰図で、駆動主軸１５上の６つのピン付き円盤の組合せ３４ａ−３４ｆを示す。６つのカム１４を固定した順で駆動主軸１５に固定しており、異なるピン付き円盤の組合せに一様な走行と規則正しい侵入を保証する。水平面にある駆動主軸１５は、本体ケース１に軸受部で取付けられ、発動機３２で駆動される。駆動主軸は、電気、水圧又は外部の機械的結合した車軸で駆動できる。装置の全幅で投与された種９は、漏斗板１１で、ピン付き円盤１２に一致して正確に分配される。
【図面の簡単な説明】
【００１７】
【図１】図１は、本発明の種まき装置の実施形態で、その斜視図（一部、分解側面図）である。
【図２】図２は、側面図である。
【図３】図３は、図１の断面模式図である。
【図４】図４は、図３の円で囲む部分Ｂの模式詳細を示し、ピン付き円盤が、偏心動作で種を土壌に押し込んでいる。
【図５】図５は、図３のＡ−Ａでの断面の俯瞰図を示す。
【図１】
2010509934.tif 000002
【図２】
2010509934.tif 000003
【図３】
2010509934.tif 000004
【図４】
2010509934.tif 000005
【図５】
2010509934.tif 000006
【国際調査報告】
2010509934.tif 000007
2010509934.tif 000008
2010509934.tif 000009